(57)【特許請求の範囲】
【請求項１】
パーテーションボードの一側端部を蝶番によって建物躯体側に枢着し、他側端部を固定具によって手摺り側に固定し、この固定具によるボード他側端部の固定を開放することによって、パーテーションボードを蝶番の軸芯周りに回動開閉可能として成るパーテーションボードの取付け構造であって、
前記固定具が、手摺り側にアンカーボルトによって固定される基板部と、基板部と一体に構成され、且つ、パーテーションボードの他側端部の片面と対峙する第一立ち上がり板部と、基板部とは別体に構成され、且つ、前記パーテーションボードの他側端部における反対側の片面と対峙する第二立ち上がり板部と、パーテーションボードの他側端部と第一立ち上がり板部と第二立ち上がり板部の３者を貫通する連結用ボルトと、それに螺合するナットとで構成されているとともに、
前記蝶番は、パーテーションボードに固定される可動ウイングと、建物躯体側に固定される固定ウイングと、それらを回動自在に連結する回転軸とで構成され、
さらに、前記固定ウイングは、見切り部材を介して建物躯体側に固定されている一方、 前記見切り部材は、パーテーションボードの上端から下端の全長にわたって延設され、断面コ字型に形成されており、
しかも、前記見切り部材の一片を構成する見切片は、パーテーションボードの一側端部を覆う様に突設されていることを特徴とするパーテーションボードの取付け構造。
【請求項２】
第二立ち上がり板部が基板部に形成したアリ溝に嵌合するように構成されていることを特徴とする請求項１に記載のパーテーションボードの取付け構造。
【請求項３】
第二立ち上がり板部を取り外した状態で、第一立ち上がり板部とパーテーションボードの他側端部を、それらに形成されているボルト孔に挿入した線材と、その挿入先端部に係合して抜止めする線材の抜止め機構とから成る機械式の数字合わせ式錠前で仮固定できるようにしたことを特徴とする請求項１又は２に記載のパーテーションボードの取付け構造。
【発明の詳細な説明】
【技術分野】
【０００１】
本発明は、パーテーションボードの一側端部を蝶番によって建物躯体側に枢着し、他側端部を固定具によって手摺り側に固定し、この固定具によるボード他側端部の固定を開放することによって、パーテーションボードを蝶番の軸芯周りに回動開閉可能として成るパーテーションボードの取付け構造の改良に関する。
【背景技術】
【０００２】
多層集合住宅のバルコニー等において、隣接する住戸間の境界や目隠しとして設置されるパーテーションボードは、一般に、フレキシブルボード等の破壊し易い材料で形成されたボード本体と、その周囲及び中央部に取り付けてボード本体を補剛する金属製の枠体とで構成されており、一側端部を建物躯体側に、他側端部を手摺り側に、夫々、アンカーボルト等で固定した状態に設置されている。そして、火災発生時のような非常時には、ボード本体を突き破って隣家側への避難路を形成できるようになっている。
【０００３】
ところで、建物の外装仕上げ層の経年劣化等に対する保全改修工事を行う際、パーテーションボードの両側端部が建物躯体側と手摺り側にアンカーボルト等によってガッチリと固定されていると、パーテーションボードの脱着が困難であることから、パーテーションボードを設置したままの状態にしておくことが多い。そのため、工事中にパーテーションボードが邪魔になって、バルコニーを直接行き来することができず、手摺りを乗り越えないと隣のバルコニーに移れないことになる。
【０００４】
冒頭に記載したパーテーションボードの取付け構造は、このような問題を解決するために提案されたもので、パーテーションボードの一側端部を蝶番によって回動自在に支持させてあるため、保全改修工事に際しては、特許文献１に示すように、固定具によるボード他端側の固定を開放することにより、パーテーションボードを蝶番の軸芯周りに回動させて開閉することができ、パーテーションボードを取り外さなくても、バルコニーを直接行き来することができる。
【０００５】
しかしながら、このパーテーションボードの取付け構造においては、特許文献１に記載されている通り、ボード他端側を固定するための固定具が、パーテーションボードの端部と嵌合するコ字形嵌合部片と、その末端（コ字形の開口とは反対側の端部）からコ字形嵌合部片の長手方向に対して直角に突出した取付部片とから成る取付金物を備え、この取付金物のコ字形嵌合部片をパーテーションボードの端部に嵌合させた状態でリベット止めし、取付金物の取付部片を手摺り等の壁面に当て付けてアンカーボルトで固定するように構成されていた。
【０００６】
従って、パーテーションボードを開き動作させたい時、アンカーボルトを抜き取って、固定具による固定（取付金物と手摺り等の壁面とのボルト連結）を解除し、この状態において、パーテーションボードを蝶番周りに回動させようとしても、そのままでは、蝶番を中心とする取付金物の回転軌跡が手摺り等の壁面と重なり合うことになり、取付金物が壁面と当接状態にあるため、パーテーションボードを回動させることができない。
【０００７】
それ故、特許文献１に記載の発明では、蝶番の片側に、蝶番の回動軸芯と直角な長孔を形成して、パーテーションボードの一側端部を蝶番に長孔の範囲内でスライド可能な状態にボルト締めしておき、パーテーションボードを開き動作させる際には、アンカーボルトを抜き取ると共に、蝶番のボルトを緩めて、パーテーションボードを蝶番の回動軸芯に近づく方向にスライドさせた後、パーテーションボードを蝶番周りに回動させるようにしていたのである。
【０００８】
上記の構成によれば、パーテーションボードを開き動作させるためには、固定具による固定（取付金物と手摺り等の壁面とのボルト連結）を解除する作業の他に、蝶番のボルトを緩めて、パーテーションボードを蝶番の回動軸芯に近づく方向にスライドさせる作業が必要であり、パーテーションボードを元の位置に固定するためには、逆の作業手順が必要である。
【０００９】
従って、作業数が多くて、パーテーションボードの回動開閉が面倒である。殊に、一日の工事を終えて、作業員がバルコニーを離れる際、翌日の工事に取り掛かるまでは、パーテーションボードを元の位置に固定しておくことが、要求されるから、工事が完了するまで、毎日、面倒な作業手順を反復することになり、多くの時間が費やされることになる。
【先行技術文献】
【特許文献】
【００１０】
【特許文献１】特開２００２−３６４０６４号公報
【発明の概要】
【発明が解決しようとする課題】
【００１１】
本発明は、上述した問題点を踏まえてなされたものであって、その目的とするところは、パーテーションボードの蝶番周りでの回動開閉を容易かつ敏速に行えるパーテーションボードの取付け構造を提供することにある。
【課題を解決するための手段】
【００１２】
上記の目的を達成するために、本発明が講じた技術的手段は、次の通りである。即ち、請求項１に記載の発明は、パーテーションボードの一側端部を蝶番によって建物躯体側に枢着し、他側端部を固定具によって手摺り側に固定し、この固定具によるボード他側端部の固定を開放することによって、パーテーションボードを蝶番の軸芯周りに回動開閉可能として成るパーテーションボードの取付け構造であって、
前記固定具が、手摺り側にアンカーボルトによって固定される基板部と、基板部と一体に構成され、且つ、パーテーションボードの他側端部の片面と対峙する第一立ち上がり板部と、基板部とは別体に構成され、且つ、前記パーテーションボードの他側端部における反対側の片面と対峙する第二立ち上がり板部と、パーテーションボードの他側端部と第一立ち上がり板部と第二立ち上がり板部の３者を貫通する連結用ボルトと、それに螺合するナットとで構成されているとともに、
前記蝶番は、パーテーションボードに固定される可動ウイングと、建物躯体側に固定される固定ウイングと、それらを回動自在に連結する回転軸とで構成され、
さらに、前記固定ウイングは、見切り部材を介して建物躯体側に固定されている一方、 前記見切り部材は、パーテーションボードの上端から下端の全長にわたって延設され、断面コ字型に形成されており、
しかも、前記見切り部材の一片を構成する見切片は、パーテーションボードの一側端部を覆う様に突設されていることを特徴としている。
【００１３】
請求項２に記載の発明は、請求項１に記載のパーテーションボードの取付け構造であって、第二立ち上がり板部が基板部に形成したアリ溝に嵌合するように構成されていることを特徴としている。
【００１４】
請求項３に記載の発明は、請求項１又は２に記載のパーテーションボードの取付け構造であって、第二立ち上がり板部を取り外した状態で、第一立ち上がり板部とパーテーションボードの他側端部を、それらに形成されているボルト孔に挿入した線材（ロッド又はワイヤ）と、その挿入先端部に係合して抜止めする線材の抜止め機構とから成る機械式の数字合わせ式錠前で仮固定できるようにしたことを特徴としている。
【発明の効果】
【００１５】
請求項１に記載の発明によれば、連結用ボルトを抜き取るという単純な作業によって、パーテーションボードの蝶番軸芯周りでの回動開閉を容易かつ敏速に行える効果がある。即ち、パーテーションボードの他側端部を固定する固定具が、アンカーボルトによって建物（手摺り側）に固定される基板部と、基板部と一体に構成され、且つ、パーテーションボードの他側端部の片面と対峙する第一立ち上がり板部と、基板部とは別体に構成され、且つ、前記パーテーションボードの他側端部における反対側の片面と対峙する第二立ち上がり板部と、パーテーションボードの他側端部と第一立ち上がり板部と第二立ち上がり板部の３者を貫通する連結用ボルトと、それに螺合するナットとで構成されているから、連結用ボルトを抜き取ることにより、第二立ち上がり板部によるボード端部の一方向への拘束状態が開放されるので、パーテーションボードを蝶番の軸芯周りに一方向へ回動させることができ、逆の手順で、パーテーションボードを元の位置に固定することができるのである。また、蝶番の固定ウイングは、見切り部材を介して建物躯体側に固定されており、前記見切り部材は、パーテーションボードの上端から下端の全長にわたって延設され、断面コ字型に形成されているとともに、前記見切り部材の一片を構成する見切片は、パーテーションボードの一側端部を覆う様に突設されていることによって、パーテーションボード１の一側端部のすき間から隣戸をのぞき見できないようにできる。
【００１６】
請求項２に記載の発明によれば、第二立ち上がり板部が基板部に形成したアリ溝に嵌合するように構成されているので、一本の連結用ボルトによって、第二立ち上がり板部を安定した状態に連結できる。
【００１７】
請求項３に記載の発明によれば、第二立ち上がり板部を取り外した状態で、第一立ち上がり板部とパーテーションボードの他側端部を、それらに形成されているボルト孔に挿入した線材と、その挿入先端部に係合して抜止めする線材の抜止め機構とから成る機械式の数字合わせ式錠前で仮固定できるので、建物の外装仕上げ層の経年劣化等に対する保全改修工事において、一日の工事を終えて、作業員がバルコニーを離れる際、翌日の工事に取り掛かるまでパーテーションボードを元の位置に固定しておくために連結用ボルトとナットでパーテーションボードを固定する作業よりも、パーテーションボードの閉じ状態の固定を敏速に行え、しかも、数字合わせ式錠前が付いているので、居住者に安心してもらえる効果がある。
【図面の簡単な説明】
【００１８】
【図１】本発明に係るパーテーションボードの取付け構造を示す正面図である。
【図２】要部の横断平面図である。
【図３】要部の斜視図である。
【図４】パーテーションボードの開き動作を説明する要部の横断平面図である。
【図５】パーテーションボードの仮固定方法を説明する要部の斜視図である。
【図６】パーテーションボードの仮固定状態を示す要部の横断平面図である。
【図７】本発明の他の実施形態を示す要部の斜視図である。
【発明を実施するための形態】
【００１９】
以下、本発明の実施形態を図面に基づいて説明する。図１〜図３は、本発明に係るパーテーションボードの取付け構造の一例を示す。１は、多層集合住宅におけるバルコニー２の隣接する住戸間に設置されたパーテーションボードであり、フレキシブルボード等の破壊し易い材料で形成されたボード本体３と、その周囲及び中央部に取り付けてボード本体３を補剛する金属製の枠体４とで構成されており、一側端部を建物躯体側（外壁面）５に、他側端部を手摺り側（手摺り内側面）６に、夫々、ホールインアンカー等のアンカーボルト７ａ、７ｂで固定した状態に設置されている。そして、火災発生時のような非常時には、ボード本体３を突き破って隣家側への避難路を形成できるようになっている。
【００２０】
パーテーションボード１の一側端部は、上下三ヶ所において蝶番８によりその軸芯周りで回動自在に枢着され、他側端部は上下二ヶ所において固定具９より手摺り側（手摺り内側面）６に固定されている。そして、固定具９によるボード他側端部の固定を開放することによって、パーテーションボード１は蝶番８の軸芯周りに回動し、開閉動作できるように構成されている。
【００２１】
前記固定具９は、手摺り側（手摺り内側面）６にアンカーボルト７ｂによって固定される基板部１０ａと、基板部１０ａと一体に構成され、且つ、パーテーションボード１の他側端部の片面と対峙する第一立ち上がり板部１０ｂと、基板部１０ａとは別体に構成され、且つ、前記パーテーションボード１の他側端部における反対側の片面と対峙する第二立ち上がり板部１０ｃと、パーテーションボード１の他側端部と第一立ち上がり板部１０ｂと第二立ち上がり板部１０ｃの３者を貫通する頭付きの連結用ボルト１１と、それに螺合するナット１２とで構成されている。
【００２２】
第二立ち上がり板部１０ｃの基端部は、基板部１０ａに形成したアリ溝ａに嵌合する断面形状とされ、アリ溝ａとの嵌合により位置決めされるように構成されている。
【００２３】
上記の構成によれば、連結用ボルト１１を抜き取ることにより、第二立ち上がり板部１０ｃによるボード端部の一方向への拘束状態が開放されるので、パーテーションボード１を蝶番８の軸芯周りに一方向へ回動させることができ、逆の手順で、パーテーションボード１を元の位置に固定することができるのであり、連結用ボルトを抜き取るという単純な作業によって、パーテーションボード１の蝶番８軸芯周りでの回動開閉を容易かつ敏速に行えるのである。蝶番８は、パーテーションボード１に固定される可動ウイング８ａと、建物躯体側（外壁面）５に固定される固定ウイング８ｂと、それらを回動自在に連結する回転軸８ｃとで構成され、固定ウイング８ｂは、見切り部材１６を介して建物躯体側（外壁面）５に固定される。前記見切り部材１６は、パーテーションボード１の上端から下端の全長にわたって延設され、断面コ字型に形成されている。見切り部材１６の一片を構成する見切片１６ａは、パーテーションボード１の一側端部を覆う様に突設されており、パーテーションボード１の一側端部のすき間から隣戸をのぞき見できないように構成されている。
【００２４】
また、第二立ち上がり板部１０ｃが基板部１０ａに形成したアリ溝ａに嵌合するように構成されているので、一本の連結用ボルト１１によって、第二立ち上がり板部１０ｃを安定した状態に連結できるのである。
【００２５】
ところで、建物の外装仕上げ層の経年劣化等に対する保全改修工事において、一日の工事を終えて、作業員がバルコニーを離れる際、翌日の工事に取り掛かるまでパーテーションボード１を元の位置に戻して閉鎖状態に固定しておくに当たっては、第二立ち上がり板部１０ｃを元位置に戻し、連結用ボルト１１とナット１２で、パーテーションボード１の他側端部と第一立ち上がり板部１０ｂと第二立ち上がり板部１０ｃの３者を締付け固定した元の状態に復帰させてもよい。
【００２６】
しかし、図５、図６に示すように、第二立ち上がり板部１０ｃを取り外した状態で、第一立ち上がり板部１０ｂとパーテーションボード１の他側端部を、それらに形成されているボルト孔に挿入した線材（図示の例では一端に長手方向と直角な横孔によって形成された係合部ｂを有する頭付きロッドを用いている。）１３と、その挿入先端側の係合部（横孔）ｂに係合して抜止めする線材１３の抜止め機構としての機械式の数字合わせ式錠前１４とで仮固定することが望ましい。その方が連結用ボルト１１とナット１２でパーテーションボード１を固定する作業よりも、パーテーションボード１の閉じ状態の固定を敏速に行え、しかも、数字合わせ式錠前１４が付いているので、居住者に安心してもらえるからである。
【００２７】
図７は、本発明の他の実施形態を示す。この実施形態は、線材１３として、両端側に、夫々、前述した係合部ｂに相当するラックギヤ１５ａ、１５ｂが形成されたロッドを使用し、その両端部に夫々ラックギヤ１５ａ、１５ｂと任意の位置で係合して抜止めする線材１３の抜止め機構としての機械式の数字合わせ式錠前１４ａ、１４ｂを着脱自在に設けて、第一立ち上がり板部１０ｂとパーテーションボード１の他側端部を仮固定するように構成した点に特徴がある。
【００２８】
この構成によれば、どちらか一方の数字合わせ式錠前１４ａ又は１４ｂを開錠しさえすれば、線材（ロッド）１３を抜いてパーテーションボード１の仮固定を解除できるので、パーテーションボード１で仕切られた２住戸のバルコニー２のどちらからでも仮固定を解除して、パーテーションボード１を蝶番８の軸芯周りに回動させ、開き動作させることが可能である。図示しないが、図５、図６の実施形態に示した機械式の数字合わせ式錠前１４を２個使用し、線材１３として、長手方向両端部に夫々係合用の横孔ｂが形成されたロッドを用いることによっても、同様な作用効果を期待できる。その他の構成は、図５、図６の実施形態と同じであるため、同一構成部材に同一符号を付し、説明を省略する。
【００２９】
【符号の説明】
【００３０】
１  パーテーションボード
２  バルコニー
３  ボード本体
４  枠体
５  建物躯体側（外壁面）
６  手摺り側（手摺り内側面）
７ａ、７ｂ  アンカーボルト
８  蝶番
８ａ  可動ウイング
８ｂ  固定ウイング
８ｃ  回転軸
９  固定具
１０ａ  基板部
１０ｂ  第一立ち上がり板部
１０ｃ  第二立ち上がり板部
１１  連結用ボルト
１２  ナット
１３  線材
１４、１４ａ、１４ｂ  機械式の数字合わせ式錠前
１５ａ、１５ｂ  ラックギヤ
１６  見切り部材
１６ａ  見切片
ａ  アリ溝
ｂ  係合部
【図１】
0005827083.tif 000002
【図２】
0005827083.tif 000003
【図３】
0005827083.tif 000004
【図４】
0005827083.tif 000005
【図５】
0005827083.tif 000006
【図６】
0005827083.tif 000007
【図７】
0005827083.tif 000008